(57)【要約】【課題】  カメラを使用せず所定時間静止した状態にある場合に省電力モードや電源ＯＦＦモードに移行する節電機能を有するカメラを提供することを目的とする。【解決手段】  カメラの姿勢を検出する姿勢センサー２９からの信号を検出してカメラの電源状態を変更する制御手段１１を有するカメラ。【選択図】  図１
2006162974.tif 000002
【特許請求の範囲】
【請求項１】
カメラの姿勢を検出する姿勢センサーからの信号を検出してカメラの電源状態を変更する制御手段を有することを特徴とするカメラ。
【請求項２】
前記姿勢センサーは、傾斜センサーであることを特徴とする請求項１に記載のカメラ。
【請求項３】
前記姿勢センサーは、ジャイロセンサーであることを特徴とする請求項１に記載のカメラ。
【請求項４】
前記制御手段は、前記姿勢センサーの信号に一定時間変化を検出しなかった時に、前記電源状態を変更することを特徴とする請求項１から３のいずれか１項に記載のカメラ。
【請求項５】
前記制御手段は、操作釦の信号と前記姿勢センサーの信号の両方に一定時間変化を検出しなかった時に、前記電源状態を変更することを特徴とする請求項１から３のいずれか１項に記載のカメラ。
【請求項６】
前記電源状態の変更は、通常モードから最小限の機能のみを動作させる省電力モードへ、通常モードから電源ＯＦＦモードへ、または前記省電力モードから前記電源ＯＦＦモードへのいずれかを選択可能であることを特徴とする請求項１から５のいずれか１項に記載のカメラ。
【請求項７】
前記制御手段は、前記省電力モード中に、前記姿勢センサーの信号に変化が検出された時、前記電源状態を前記省電力モードから前記通常モードに変更することを特徴とする請求項１から５のいずれか１項に記載のカメラ。
【発明の詳細な説明】
【技術分野】
【０００１】
本発明は、カメラに関し、特に消費電力対策を施したカメラに関する。
【背景技術】
【０００２】
従来、カメラに搭載されている電池の消耗を抑えるために、レリーズ釦等の操作釦からの信号が一定時間入力されなかった時に、カメラの電源をカメラが最小限の機能のみを動作させる省電力モード（スリープモードとも言う）にする、またはカメラの電源をＯＦＦにする節電機能が搭載されたカメラが提案されている（例えば、特許文献１参照。）。
【特許文献１】特許第２９５９１３０号公報
【発明の開示】
【発明が解決しようとする課題】
【０００３】
しかしながら、従来の節電機能では、撮影者が被写体のフレーミング中にレリーズ釦操作を行わずにいると省電力モードや電源ＯＦＦモードに移行してしまい、通常の撮影モードに復帰するためにロスタイムが生じシャッターチャンスを逃してしまうと言う問題がある。
【０００４】
本発明は、上記問題に鑑みて行われたものであり、カメラを使用している時の姿勢センサーの信号変化を検出して省電力モードや電源ＯＦＦモードへの移行を制御する節電機能を有するカメラを提供することを目的とする。
【課題を解決するための手段】
【０００５】
上記目的を達成するために、本発明は、カメラの姿勢を検出する姿勢センサーからの信号を検出してカメラの電源状態を変更する制御手段を有することを特徴とするカメラを提供する。
【０００６】
また、本発明のカメラでは、前記姿勢センサーは傾斜センサーであることが好ましい。
【０００７】
また、本発明のカメラでは、前記姿勢センサーはジャイロセンサーであることが好ましい。
【０００８】
また、本発明のカメラでは、前記制御手段は、前記姿勢センサーの信号に一定時間変化を検出しなかった時に、前記電源状態を変更することが好ましい。
【０００９】
また、本発明のカメラでは、前記制御手段は、操作釦の信号と前記姿勢センサーの信号の両方に一定時間変化を検出しなかった時に、前記電源状態を変更することが好ましい。
【００１０】
また、本発明のカメラでは、前記電源状態の変更は、通常モードから最小限の機能のみを動作させる省電力モードへ、通常モードから電源ＯＦＦモードへ、または前記省電力モードから前記電源ＯＦＦモードへのいずれかを選択可能であることが好ましい。
【００１１】
また、本発明のカメラでは、前記制御手段は、前記省電力モード中に、前記姿勢センサーの信号に変化が検出された時、前記電源状態を前記省電力モードから前記通常モードに変更することが好ましい。
【発明の効果】
【００１２】
本発明によれば、カメラを使用しているときの姿勢センサーの信号変化を検出して省電力モードや電源ＯＦＦモードへの移行を制御する節電機能を有するカメラを提供することができる。
【発明を実施するための最良の形態】
【００１３】
以下、本発明の一実施の形態に関し図１、図２を参照しつつ説明する。
【００１４】
図１は、本発明の実施の形態にかかるカメラの概略ブロック図を示す。図１において、電源釦ＰがＯＮされレリーズ釦Ｂが半押しされると、撮影レンズ１は、被写界の光を入射させメインミラー３はこの入射された光を焦点検出系と不図示のファインダー系とに分割する。焦点検出系への光線５はメインミラー３を通過後サブミラー７で反射されて焦点検出手段９に入射し、自動焦点調節のための測距に使用されるとともに、被写体から入射した光の輝度あるいはコントラストが検出され制御手段（ＣＰＵ）１１に送られる。ＣＰＵ１１からの入射光の輝度あるいはコントラストの情報は、判定手段１３に送られ、被写体の輝度あるいはコントラストが低いと判断された場合には、補助光投影手段１５から被写体上に例えば縦縞模様と横縞模様の組み合わせパターンから成る補助光が照射される。
【００１５】
投影された補助光の反射光を撮影レンズ１、メインミラー３、サブミラー７を介して焦点検出手段９に入射し、焦点検出手段９に配設された不図示の測距センサーにより焦点検出を行う。自動焦点調節（以後、ＡＦと記す）は、焦点検出手段９によって被写体の焦点ずれが検出された後、ＣＵＰ１１を介してレンズ駆動装置２１を制御して行われる。焦点検出手段９からの信号に基づきＡＦ動作が行われ被写体に合焦した後、補助光は消灯されメインミラー３が跳ね上げられ、シャッター１７が作動し、ＣＣＤ１９に被写体像が結像する。ＣＣＤ１９に結像された被写体像は、画像処理手段２３で処理されＣＰＵ１１を介してメモリ２５に記録されると供に、表示装置２７に表示されて撮影者に視認される。
このようにして、自動焦点カメラが構成されている。
【００１６】
なお、判定手段１３は、カメラ側に設けられていても良い。また、補助光投影装置Ａは自動焦点カメラに内蔵されていても良いし、自動焦点カメラの外部に、例えば、外付けフラッシュと一体にして配置されていても良い。あるいは、カメラと通信可能なものとして、カメラとは離れた位置に配置されるようにしても良い。
【００１７】
本実施の形態のカメラには、カメラの姿勢を検出する姿勢センサー２９が配設されている。この姿勢センサー２９からの信号はＣＰＵ１１に伝達され、不図示の手ぶれ補正機能に使用されると供に、節電機能に使用される。なお、姿勢センサー２９として、傾斜センサーやジャイロセンサー等が用いられる。
【００１８】
次に、図２のフローチャートを用いて本実施の形態にかかるカメラの節電機能に付いて説明する。以下、ステップ毎に説明する。
【００１９】
（ステップＳ１）
カメラを使用状態にする為に電源釦ＰをＯＮにする。
【００２０】
（ステップＳ２）
電源がＯＮ状態になると、カメラの各種パラメータがＣＰＵ１１に設定されると供に、タイマーが初期値（ｔ１、ｔ２＝０）にセットされる。ｔ１は通常モードから省電力モード（スリープモードとも言う）移行用タイマー、ｔ２はスリープモードから電源ＯＦＦモード移行用タイマーである。ｔ１ｍａｘは通常モードからスリープモードに移行するまでの時間設定値を、ｔ２ｍａｘはスリープモードから電源ＯＦＦモードに移行するまでの時間設定値をそれぞれ示し、不図示のパラメータ設定画面から入力、あるいはカメラの初期値として自動的にセットされる。
【００２１】
（ステップＳ３）
続いて、タイマーｔ１がカウントをスタートする。
【００２２】
（ステップＳ４）
撮影者がカメラを使用しレリーズ釦Ｂを半押し状態でフレーミング等を行っている場合、レリーズ釦ＢからＣＰＵ１１に信号が伝達される。ＣＰＵ１１はカメラが使用中であると判断して、タイマーｔ１をｔ１＝０にリセット（ステップＳ５）しステップＳ３に戻る。レリーズ釦Ｂが半押しされていない場合にはステップＳ６に進む。
【００２３】
（ステップＳ６）
レリーズ釦Ｂが半押しされていない場合、姿勢センサー２９からの信号変化の有無をＣＰＵ１１が検出する。撮影者がレリーズ釦Ｂを半押しせずに被写体にフレーミング等を行っている場合、カメラは上下左右に遥動するので、姿勢センサー２９の信号は変化する。姿勢センサー２９の信号変化がある場合、ＣＰＵ１１はカメラが使用されていると判断してステップＳ５に進みｔ１＝０にリセットしてステップＳ３に戻る。レリーズ釦Ｂからの信号または姿勢センサー２９の信号変化の少なくとも一方がある場合、ＣＰＵ１１はカメラが使用中であると判断してステップＳ３からステップＳ６を繰り返し実行する。傾斜センサー２９の信号変化が無い場合、ステップＳ７に進む。
【００２４】
（ステップＳ７）
タイマーｔ１がカウントアップしステップＳ８に進む。
【００２５】
（ステップＳ８）
タイマーｔ１がｔ１ｍａｘに到達したかどうかを判断する。ｔ１がｔ１ｍａｘ未満であればステップＳ４に戻り、以後ステップＳ４からステップＳ８を実行する。タイマーｔ１＝ｔ１ｍａｘを満たしたときステップＳ９に進む。
【００２６】
（ステップＳ９）
レリーズ釦Ｂからの信号と姿勢センサー２９の信号変化が一定時間（ｔ１ｍａｘ）無かったのでカメラの電源を通常モードからスリープモードに移行し、タイマーｔ２のカウントをスタートする。この状態で、カメラは最小限の機能のみに電源を供給する状態になり電池の消耗を抑えることができる。
【００２７】
（スッテプＳ１０）
スリープモードに移行したカメラは、レリーズ釦Ｂからの半押し信号の有無を検出する。スリープモード中にレリーズ釦Ｂが半押しされた場合、撮影者がカメラを使い始めたとＣＰＵ１１が判断してステップＳ１１に進み、レリーズ釦Ｂが半押しされていなければステップＳ１２に進む。
【００２８】
（ステップＳ１１）
撮影者がカメラを使い始めたとＣＰＵ１１が判断して、スリープモードを解除しカメラの電源を復帰（ＯＮ状態）してステップＳ２に戻り、以降、ステップＳ２からステップＳ１０を実行する。
【００２９】
（ステップＳ１２）
レリーズ釦Ｂから半押し状態の信号が無い場合には、姿勢センサー２９の信号変化を検出する。スリープモード中に姿勢センサー２９の信号変化が発生した場合、ＣＰＵ１１は、撮影者がカメラを使い始めたと判断して、ステップＳ１１に進み、以降ステップＳ２からステップＳ１２を実行する。姿勢センサー２９の信号変化が無い場合ステップＳ１３に進む。
【００３０】
（ステップＳ１３）
タイマーｔ２をカウントアップする。
【００３１】
（ステップＳ１４）
タイマーｔ２がｔ２ｍａｘに到達したかどうかを判断する。ｔ２がｔ２ｍａｘ未満であれば、ステップＳ１０に戻り、ステップＳ１０からステップＳ１４を実行する。ｔ２＝ｔ２ｍａｘとなった時、カメラの電源をスリープモードから電源ＯＦＦモードに移行（電源ＯＦＦ）する（ステップＳ１５）。
【００３２】
本実施の形態にかかるカメラの節電機能は、カメラの使用状態をレリーズ釦Ｂの半押し信号の有無、またはカメラに搭載されている姿勢センサー２９の信号変化の有無をＣＰＵ１１が継続してモニターしており、前もって決められた一定時間継続して信号が入力されなかった場合に通常モードから省電力モード、省電力モードから電源ＯＦＦモードに電源状態を変更するように構成している。特に、撮影者がカメラを手に持ってフレーミングを行う際に、レリーズ釦Ｂを半押し状態にしていなくても姿勢センサー２９がカメラの姿勢の変化を感知して使用状態と判定するので、撮影者の意に反してスリープモードや電源ＯＦＦモードに移行することを防止することができる。
【００３３】
一方、レリーズ釦Ｂからの信号や姿勢センサー２９の信号変化が一定時間無かったときは、通常モードから省電力モード、省電力モードから電源ＯＦＦモードに移行して電池の消耗を防止することができる。
【００３４】
なお、姿勢センサー２９の信号変化の有無のみで節電機能を働かせることも可能で、この際には、図２のフローチャート中のレリーズ釦半押し信号の有無検出のスッテプＳ４とステップＳ１０は無くても良い。また、レリーズ釦半押し信号有無検出用のタイマーを別途設け、レリーズ釦からの信号の有無と姿勢センサーの信号変化の有無とを別の判断ループにして、それぞれ別々に制御するように構成しても良い。
【００３５】
また、電源移行モードは、パラメータ設定画面で、通常モードからスリープモード、スリープモードから電源ＯＦＦモード、通常モードから電源ＯＦＦモードのいずれかを選択できるようにしても良い。
【００３６】
また、カメラを三脚などにセットして常時静止した状態で使用する場合は、姿勢センサー２９の信号変化が生じず省電力モードや電源ＯＦＦモードに移行してしまうので、カメラのパラメータ設定において省電力モード移行動作をＯＦＦにするように構成しても良い。また、上述のレリーズ釦が操作された際の節電動作は、レリーズ釦に限定されずその他の操作釦が操作された時に上述のレリーズ釦が操作された際の節電動作と同様の動作が行われるように構成しても良い。
【００３７】
なお、上述の実施の形態は例に過ぎず、上述の構成や形状に限定されるものではなく、本発明の範囲内において適宜修正、変更が可能である。
【図面の簡単な説明】
【００３８】
【図１】本発明の実施の形態にかかるカメラのブロック図。
【図２】本実施の形態にかかるカメラの節電機能の動作を示すフローチャート。
【符号の説明】
【００３９】
１    撮影レンズ
３    メインミラー
７    サブミラー
９    焦点検出手段
１１  ＣＰＵ（制御手段）
１３  判定手段
１５  補助光投影手段
１７  シャッター
１９  ＣＣＤ
２１  レンズ駆動装置
２３  画像処理手段
２５  メモリ
２７  表示装置
２９  姿勢センサー
Ｂ    レリーズ釦
Ｐ    電源釦
【図１】
2006162974.tif 000003
【図２】
2006162974.tif 000004